(57)【要約】      （修正有）【課題】室内のマイナスイオン濃度を適切に保持可能であると共に、植物によるマイナスイオンの発生を促進して、マイナスイオン濃度を高めることができる植物源マイナスイオン発生促進装置を提供する。【解決手段】植木鉢２がアウターハウジング１の外壁１１と接触しないよう離れて収容空間１２１に設置され、第１の電極３０１が植木鉢２と電気的に接触し、第２の電極３０２がアウターハウジング１と接触すると共に、第１の電極３０１とは電気的に接続しないよう離れて設けられているので、第１の電極３０１と第２の電極３０２とにより直接電気的に接続せずに仮想回路を構成することができる。これによって、植物はマイナスイオンが多く生成され、マイナスイオン濃度の増加を図ることができる。【選択図】図２
0003196365.tif 000002
【実用新案登録請求の範囲】
【請求項１】
収容空間を画成する内壁と、前記内壁と径方向の外方に間隔をあけて配置され、前記内壁とにより前記収容空間よりも大である設置空間を取り囲む外壁と、前記内壁の下周縁部と連結して径方向の外方に向かって延びて前記外壁の内側面に連結されるように設けられている下板とを有し、前記下板には第２の接点が設けられているアウターハウジングと、
その上端が上向きに開放した有底筒状容器であって前記内壁によって形成された前記収容空間内に設置され、培養物が前記容器内に充填され、前記容器の底部には第１の接点が前記容器内に延びるように設けられている少なくとも１つの植木鉢と、
前記アウターハウジングに設けられ、負高電圧パルスを出力する第１の電極と第２の電極とを有し、前記第１の電極は前記第１の接点と電気的に結合され、前記第２の電極は前記第２の接点と電気的に結合されている負高電圧パルス出力モジュールと、
を備えていることを特徴とする植物源マイナスイオン発生促進装置。
【請求項２】
前記アウターハウジングは、前記外壁と前記内壁と前記下板とにより設置空間を有する有底容室が形成され、該設置空間には、その内部に浮くように皿形状をなす受け部材が前記下板の上方に前記下板と間隔を置いて取り付けられ、
前記受け部材は、前記植木鉢が配置されるための、前記収容空間よりも小径な開口が形成されていることを特徴とする請求項１に記載の植物源マイナスイオン発生促進装置。
【請求項３】
前記受け部材は、その底部に、前記設置空間と連通する複数の貫通孔が設けられ、
前記受け部材における前記開口を画成する内周縁は、立ち上がり部が形成され、該立ち上がり部は、その上端縁に前記開口側に折り曲げられて、前記内壁と着脱自在に係合する環状の係止溝が形成された係止部が設けられ、
前記植木鉢の上端は、径方向に突き出た環状のつば部が形成されていることを特徴とする請求項２に記載の植物源マイナスイオン発生促進装置。
【請求項４】
複数の前記植木鉢を有し、
前記受け部材は、前記設置空間にて複数の前記植木鉢に応じて複数の前記開口が設けられていることを特徴とする請求項２に記載の植物源マイナスイオン発生促進装置。
【請求項５】
前記負高電圧パルス出力モジュールは、コントローラーと、高速光電変換手段である、前記コントローラーと電気的に結合されたカプラーと、前記カプラーと電気的に結合された駆動回路と、前記駆動回路によって駆動される高電圧パルス生成回路とを有することを特徴とする請求項１に記載の植物源マイナスイオン発生促進装置。
【請求項６】
前記高電圧パルス生成回路は、昇圧トランスと、自動回復ヒューズと、ダイオードとを有し、
前記昇圧トランスの一次コイルの一端は、前記自動回復ヒューズを介して直流電源と電気的に結合され、前記一次コイルの他端は前記駆動回路と電気的に結合され、
前記昇圧トランスの二次コイルの一端は、前記第１の電極と電気的に結合され、前記二次コイルの他端は逆向きに接続された前記ダイオードを介して前記第２の電極と電気的に結合されていることを特徴とする請求項５に記載の植物源マイナスイオン発生促進装置。
【請求項７】
前記負高電圧パルス出力モジュールは、前記コントローラーの出力端及び前記カプラーの入力端との間に電気的に結合されている第１の抵抗器と、前記コントローラー及び前記カプラーの間に電気的に結合されている第２の抵抗器とを更に有し、前記第２の抵抗器は、その一端が前記コントローラーの出力端と電気的に結合され、その他端が接地されていることを特徴とする請求項５又は６に記載の植物源マイナスイオン発生促進装置。
【請求項８】
前記負高電圧パルス出力モジュールは、前記コントローラーと電気的に結合されるように前記アウターハウジングに設けられた距離検出装置を更に有し、
前記距離検出装置は、前記距離検出装置の周囲に超音波で感知できる範囲が形成され、前記距離検出装置に近い近接対象からの反射電波の周波数で前記距離検出装置と前記近接対象との近接距離を算出し、該近接距離が予め設定された極限値よりも小である場合、制御信号が生成されて、前記コントローラーに出力され、前記コントローラーは当該制御信号に基づいて、前記駆動回路を強制的に停止させ、前記高電圧パルス生成回路からの負高電圧パルスの出力が停止することを特徴とする請求項５に記載の植物源マイナスイオン発生促進装置。
【請求項９】
前記高電圧パルス生成回路は、前記第１の電極と前記第２の電極との間に電気的に結合された第３の抵抗器を更に設けていることを特徴とする請求項８に記載の植物源マイナスイオン発生促進装置。
【請求項１０】
前記アウターハウジングに設けられ、前記コントローラーと電気的に結合された温湿度センサーと、加湿器と、送風機とを更に有し、
前記温湿度センサーは、前記植木鉢の周囲環境の温度と湿度を検出して前記コントローラーに送信し、前記コントローラーは、検出された前記温度及び前記湿度と予め定められた所定値との差に基づいて、前記周囲環境の前記温度と前記湿度が所定値になるように前記加湿器及び前記送風機の風速及び風向きを調節することを特徴とする請求項５に記載の植物源マイナスイオン発生促進装置。
【請求項１１】
前記アウターハウジングに設けられたマイナスイオン濃度センサーを更に有し、
前記マイナスイオン濃度センサーは、前記植木鉢の周囲環境における前記マイナスイオンの濃度を検出して、検出された前記マイナスイオンの濃度値を前記コントローラーに送信し、前記コントローラーは、受信された前記マイナスイオンの濃度値を予め定められた濃度所定範囲と比較すると共に、前記周囲環境中の前記マイナスイオン濃度を前記濃度所定範囲内に保つように、前記駆動回路の作動を制御することを特徴とする請求項７に記載の植物源マイナスイオン発生促進装置。
【考案の詳細な説明】
【技術分野】
【０００１】
本考案は、マイナスイオンの発生を促進する装置に関し、特に観葉植物を用いて室内に発生する植物源マイナスイオンの発生を促進してマイナスイオン濃度を高めることができる植物源マイナスイオン発生促進装置に関する。
【背景技術】
【０００２】
植物は、光合成をして二酸化炭素から新鮮な酸素を作り出す働きをするだけでなく、室内に置かれると、根から水を吸い上げて葉から蒸散させるとき、空気中の有害物質が気孔や土に吸収され、水蒸気の発生によって生じた空気の温度差で起きた対流で根部に運ばれ、土壌中の微生物によってこの有害物質が分解されると共に、浄化された空気が気孔から放出されるため、マイナスイオンを発生する他、空気が浄化され、ある程度室内湿度の調節もできる効果がある。そして、葉っぱが多い観葉植物は、成長が早く蒸散作用が強く、マイナスイオンを多く排出すると知られている。そこで、植物の蒸散作用を高めてマイナスイオンをより多く発生させるための研究が従来よりすでに行われている（例えば、非特許文献１参照）。
【先行技術文献】
【非特許文献】
【０００３】
【非特許文献１】中国、高圧電技術雑誌（定期刊行物）、第３７巻、第１期、２０１１年１月３１日、発表論文の名称「負高電圧パルス技術の応用による植物の空気浄化力強化の研究」
【考案の概要】
【考案が解決しようとする課題】
【０００４】
この論文によると、植物を負高電圧パルスで刺激すると、多くのマイナスイオンを発生すると共に、空気を浄化することによって、室内の空気品質の改善が期待できるが、植物に触ったとき感電しやすく、マイナスイオン濃度を適切に維持し難いなどの問題点がある。
【０００５】
本考案は、上記問題点に鑑みてなされたものであり、室内のマイナスイオン濃度を適切に維持可能であると共に、植物によるマイナスイオンの発生を促進して、マイナスイオン濃度を高めることができる植物源マイナスイオン発生促進装置を提供することを目的とする。
【課題を解決するための手段】
【０００６】
上記目的を達成するために、本考案に係る植物源マイナスイオン発生促進装置は、収容空間を画成する内壁と、前記内壁と径方向の外方に間隔をあけて配置され、前記内壁とにより前記収容空間よりも大である設置空間を取り囲む外壁と、前記内壁の下周縁部と連結して径方向の外方に向かって延びて前記外壁の内側面に連結されるように設けられている下板とを有し、前記下板には第２の接点が設けられているアウターハウジングと、その上端が上向きに開放した有底筒状容器であって前記内壁によって形成された前記収容空間内に設置され、培養物が前記容器内に充填され、前記容器の底部には第１の接点が前記容器内に延びるように設けられている少なくとも１つの植木鉢と、前記アウターハウジングに設けられ、負高電圧パルスを出力する第１の電極と第２の電極とを有し、前記第１の電極は前記第１の接点と電気的に結合され、前記第２の電極は前記第２の接点と電気的に結合されている負高電圧パルス出力モジュールと、を備えていることを特徴とする。
【考案の効果】
【０００７】
本考案に係る植物源マイナスイオン発生促進装置は、植木鉢がアウターハウジングの外壁と接触しないよう離れて収容空間に設置され、第１の電極が植木鉢と電気的に接触し、第２の電極がアウターハウジングと接触すると共に、第１の電極とは電気的に接続しないよう離れて設けられているので、第１の電極と第２の電極とにより直接接続されずに仮想回路を構成することができる。従って、植物によるマイナスイオンをより多く発生することができ、室内のマイナスイオン濃度の増加を図ることができ、また、植物に触っても感電する恐れがなくなり、マイナスイオン濃度を適切に維持することができる。
【図面の簡単な説明】
【０００８】
【図１】本考案に係る植物源マイナスイオン発生促進装置の実施の形態１の構成を示す斜視図である。
【図２】本考案に係る植物源マイナスイオン発生促進装置において植物を取り除いて示す分解斜視図である。
【図３】図２の組合斜視図である。
【図４】図３において一部を線IV−IVで断面して示す全体正面図である。
【図５】本考案に係る植物源マイナスイオン発生促進装置の回路構成を示す図である。
【図６】本考案に係る植物源マイナスイオン発生促進装置において第１の電極と第２の電極とがアウターハウジング及び植木鉢により接続されない状態を示す図である。
【図７】本考案に係る植物源マイナスイオン発生促進装置において第１の電極と第２の電極とがアウターハウジング及び植木鉢により接続されている状態を示す図である。
【図８】植物が継続してマイナスイオンを発生する期間及びマイナスイオン濃度の関係を示す図である。
【図９】本考案に係る植物源マイナスイオン発生促進装置の実施の形態２において植物を取り除いて示す分解斜視図である。
【考案を実施するための形態】
【０００９】
以下、添付図面に従って本考案に係る植物源マイナスイオン発生促進装置の好ましい実施の形態について詳説する。なお、各図において同一構成及び機能を有する構成要素については、同一番号を付してその説明を省略する。
【００１０】
（実施の形態１）
図１〜図５は、本考案に係る植物源マイナスイオン発生促進装置の実施形態１の構成を示している。この植物源マイナスイオン発生促進装置は、図示の如く、アウターハウジング１、アウターハウジング１内に取り付けられた植木鉢２、及び植木鉢２に置かれた植物１００に対して負高電圧パルスを与える負高電圧パルス出力モジュール３を備えている。
【００１１】
アウターハウジング１は、植木鉢２を設置可能な収容空間１２１を画成する中空筒状の内壁１２と、内壁１２と径方向の外方に間隔をあけて配置され、内壁１２とにより筒状の設置空間１６を取り囲む筒状の外壁１１と、内壁１２の下周縁部と連結して径方向の外方に向かって延びて外壁１１の内側面に連結されるように設けられている下板１３とを有する。下板１３は第２の接点１４が設けられている。アウターハウジング１の下側には、下板１３及び植木鉢２と所定の間隔をあけて取付スペース１５０が画成された取付座１５が設けられている。
【００１２】
植木鉢２は、その上端が上向きに開放した開放口２３を有する有底筒状容器であって、内壁１２によって形成された収容空間１２１内に設置されている。植木鉢２の上端の周囲は径方向に突き出た持ち運びのための環状のつば部２４が形成されている。植木鉢２はその中に培養土や培養液を収納し、底部２１には第１の接点２２が植木鉢２の中に延びるように設けられている。なお、植木鉢２は、つば部２４によって内壁１２に係止されて安定して保持される。また、底部２１の中央には水抜きのための穴を開けてもよい。
【００１３】
負高電圧パルス出力モジュール３は、アウターハウジング１の下部に設けられた取付座１５内に配置され、負高電圧パルスを出力する第１の電極３０１と第２の電極３０２とを有し、第１の電極３０１は第１の接点２２と電気的に結合され、第２の電極３０２は第２の接点１４と電気的に結合されていることによって、空気を介して仮想回路を形成することができる。
【００１４】
植木鉢２に培養土や培養液等の培養物を充填して、例えばリュウゼツランなどの植物１００を植える。なお、リュウゼツランは、マイナスイオンを多く放出する植物としてよく知られ、例えば、暗緑色で葉の縁に黄色の覆輪があるフクリンリュウゼツランを使うことが好ましい。
【００１５】
次に、植木鉢２内の培養物に第１の接点２２が接触することによって、第１の接点２２より負高電圧パルスが出力され、培養物を介して植物１００の根部に伝達され、植物１００の根部を刺激する。これによって、植物１００によるマイナスイオンの放出を促進して、植物１００からマイナスイオンをより多く放出することができる。また、植物１００の蒸散を促進することによって、室内の空気の浄化を促進することができる。また、リュウゼツランは、水不足や乾燥に強く、管理が非常に簡単であると共に、マイナスイオンを多く放出することができるので、本考案に係る植物源マイナスイオン発生促進装置に最適な植物である。
【００１６】
アウターハウジング１は、外壁１１と内壁１２と下板１３とにより設置空間１６を有する有底容室が形成され、該設置空間１６には、下板１３と間隔を置いて、環状の浅い皿形状をなす受け部材１７が設置空間１６内に浮くように取り付けられている。該受け部材１７は、その底部１７３に、設置空間１６と連通する複数の貫通孔１７４が設けられ、また、植木鉢２が配置されるための、収容空間１２１よりも小径な中央開口１７０が形成されている。中央開口１７０を画成する内周縁は、立ち上がり部１７１が形成され、立ち上がり部１７１は、その上端縁に中央開口１７０側に折り曲げられて環状の係止溝１７２ａが形成された係止部１７２が設けられ、係止溝１７２ａによって内壁１２と着脱自在に係合することができる。なお、係止部１７２には、可撓性を付与するように周方向の角間隔をあけて下部より切り込まれた複数の切込溝１７２ｂが設けられ、内壁１２と係合することが簡単になる。また、植木鉢２は、つば部２４によって係止部１７２に係止されて安定して保持されることもできる。
【００１７】
受け部材１７の底部１７３に複数の貫通孔１７４が設けられていることにより、設置空間１６を利用して他の植物を栽培するときに他の植物の根部を固定することができる。
【００１８】
負高電圧パルス出力モジュール３は、図５に示されているように、概ねコントローラー３１と、高速光電変換手段である、コントローラー３１と電気的に結合されたカプラー３２と、カプラー３２と電気的に結合された駆動回路３３と、高電圧パルス生成回路３４とを有する。コントローラー３１は、例えばワンチップ式のマイクロコントローラー（例えば中国宏晶科技社製造のＳＴＣ１１シリーズ）が使われ、リモートコントローラー４（又はキーボート等の入力手段）によって設定されたマイナスイオン濃度値とマイナスイオンの放出継続時間に基づいて、所定の時間内で測定してテーブルをルックアップすることにより、対応するパラメータを有する５Ｖのパルス信号を出力する。この５Ｖパルス信号をカプラー３２によって信号ノイズを光電変換して除去した後、駆動回路３３へ出力する。駆動回路３３に出力されたパルス信号を、駆動回路３３におけるハーフブリッジチップ３３１によって、信号の形状を整えたり増幅したりした後、増幅された５Ｖパルス信号をＭＯＳスイッチ３３２へ出力する。
【００１９】
ＭＯＳスイッチ３３２は、増幅された５Ｖ大電流パルス信号によって駆動され、１２Ｖの大電流高電圧パルス調整信号が生成されて高電圧パルス生成回路３４に出力される。
【００２０】
高電圧パルス生成回路３４は、昇圧トランスＴと、自動回復ヒューズ３４１と、ダイオードＤとを有し、この例では、昇圧トランスＴの二次コイルに並列接続されたコンデンサＣ１とダイオードＤとにより昇圧整流回路３４０を構成している。１２Ｖの大電流高電圧パルス調整信号を高電圧パルス生成回路３４における昇圧トランスＴによって昇圧すると共に昇圧整流回路３４０によって整流することによって、負高電圧パルスを生成して第１の電極３０１及び第２の電極３０２に出力する。
【００２１】
このように、生成された負高電圧パルスによって培養物を介して植物１００の根部に刺激を与えることによって、植物１００のマイナスイオンの放出を促進することができる。また、アウターハウジング１及び植木鉢２の間は電気的に接続されていないので、第１の電極３０１及び第２の電極３０２の間は直接電気的に接続されず、空気を介して仮想回路を形成する。従って、植物１００は外部にマイナスイオンを多く放出することができる。
【００２２】
また、カプラー３２は、入力端のコントローラー３１と出力端の駆動回路３３間が電気的に絶縁を保ったままでの信号伝達に用いられる光電変換素子として、人体や出力先の回路を高圧から保護する役割がある。そして、この実施の形態では、負高電圧パルス出力モジュール３は、リモートコントローラー４からのリモート信号を受けるリモート信号受信回路３５を更に有する。
【００２３】
そして、高電圧パルス生成回路３４における昇圧トランスＴの一次コイルＮ１の一端は、自動回復ヒューズ３４１を介して直流電源３４２と電気的に結合され、一次コイルＮ１の他端は駆動回路３３と電気的に結合されている。これによって、一次コイルＮ１を流れた電流が増えて、温度が高くなったとき、自動回復ヒューズ３４１が導通できず或いは絶縁状態にするように遮断して回路の焼損を防止することができる。そして、温度が下がり、大電流が流れないときは、自動回復ヒューズ３４１によって導通することができる。昇圧トランスＴの二次コイルＮ２の一端は第１の電極３０１と電気的に結合され、二次コイルＮ２の他端は逆向きに接続されたダイオードＤを介して第２の電極３０２と電気的に結合されている。
【００２４】
そして、コントローラー３１及びカプラー３２の間には、コントローラー３１の出力端とカプラー３２の入力端との間に電気的に結合されている第１の抵抗器Ｒ１と、その一端がコントローラー３１の出力端と電気的に結合され、その他端が接地されている第２の抵抗器Ｒ２とが設けられている。このように、第１の抵抗器Ｒ１と第２の抵抗器Ｒ２による分圧構成によって、コントローラー３１において一時電圧が高くなることがなくなり、カプラー３２に流れる電流が増加することがなくなるので、カプラー３２の破損を防止することができる。
【００２５】
そして、植物１００の根部が負高電圧パルスによって刺激されると、植物１００の葉部端部が先端放電するので、植物１００への接触による感電を防止するために、図３と図５に示されているように、負高電圧パルス出力モジュール３は、コントローラー３１と電気的に結合されるようにアウターハウジング１に設けられた距離検出装置３６を更に有する。なお、距離検出装置３６は例えば超音波距離センサーが用いられる。距離検出装置３６は、植物１００の周囲に超音波で感知できる範囲が形成されており、植物１００に近い近接対象からの反射電波の周波数で植物１００と近接対象との近接距離を算出し、該近接距離が予め設定された極限値よりも小である場合、制御信号が生成されてコントローラー３１に出力する。当該制御信号に基づいて駆動回路３３を強制的に停止させ、高電圧パルス生成回路３４からの負高電圧パルスの出力を停止させる。なお、この実施の形態では、複数の距離検出装置３６が用いられ、所定の間隔をおいて外壁１１に設けられている。
【００２６】
そして、高電圧パルス生成回路３４からの負高電圧パルスの出力が停止したとき、植物１００の葉部の先端に電荷がまだ残留しているため、接触して感電する恐れがある。この実施の形態では、高電圧パルス生成回路３４は第１の電極３０１と第２の電極３０２との間に電気的に結合された第３の抵抗器Ｒ３を更に設けている。このように、高電圧パルス生成回路３４は負高電圧パルスの出力を停止したとき、植物１００の葉部の残留電荷が第１の電極３０１、第３の抵抗器Ｒ３及び第２の電極３０２から構成された放電回路によって放電されることができるので、残留電荷による感電を防止することができる。なお、第３の抵抗器Ｒ３の抵抗値は、１例として、１１００Ｍオーム（Ω）である。
【００２７】
また、図３と図５に示されているように、この実施の形態は、アウターハウジング１に、コントローラー３１と電気的に結合された温湿度センサー３７と、加湿制御回路内蔵の加湿器３８と、送風制御回路内蔵の送風機３９とを更に有する。温湿度センサー３７は、周囲環境の温度と湿度を検出してコントローラー３１に送信し、コントローラー３１は、検出された温度及び湿度を予め定められた所定値との差に基づいて加湿器３８及び送風機３９の風速及び風向きを調節することによって、周囲環境の温度と湿度が所定値になるようにすることができる。なお、温度及び湿度の所定値とは、空気中にマイナスイオンが存在するのに最適な値である。
【００２８】
加湿器３８及び送風機３９は、植木鉢２の上部に設置され、また、加湿器３８の霧放出口が植物源マイナスイオン発生促進装置の正面側に向かうように配置されている。こうすると、加湿器３８から霧が流出し、送風機３９の送風によって室内に送出されることができる。このように、流出した霧が植物源マイナスイオン発生促進装置に付着することがなくなるので、電流の漏れによる危険を防止することができる。
【００２９】
図３に示されているように、この実施の形態では、コントローラー３１と電気的に結合されアウターハウジング１に設けられたマイナスイオン濃度センサー５１を更に有する。該マイナスイオン濃度センサー５１は、周囲環境におけるマイナスイオンの濃度を検出して検出されたマイナスイオンの濃度値をコントローラー３１に送信する。コントローラー３１は、受信されたマイナスイオンの濃度値を予め定められた濃度所定範囲と比較すると共に、駆動回路３３の作動を制御することによって、周囲環境中のマイナスイオン濃度を最適な範囲内に保つことができる。なお、この実施の形態では、温湿度センサー３７、加湿器３８、送風機３９及びマイナスイオン濃度センサー５１を併せて、マイナスイオンを限られた空間内に均一に分散可能なマイナスイオン空間均一化装置と称して使用される。
【００３０】
上記のように構成された植物源マイナスイオン発生促進装置は、実験において、外壁１１と植木鉢２との間が５０ｍｍから２００ｍｍ離れた場合、図６に示されているように、第１の電極３０１と第２の電極３０２とがアウターハウジング１と植木鉢２とによって電気的に接続されていない状況において、アウターハウジング１から約１ｍ離れたところで測定した結果、植物１００によるマイナスイオン濃度が５万個／ｃｍ３と測定されている。一方、図７に示されているように、第１の電極３０１と第２の電極３０２とがアウターハウジング１と植木鉢２との間に繋げられた導線２０によって電気的に接続された状況において、同一距離で測定した結果、植物１００によるマイナスイオン濃度が３０００個／ｃｍ３と測定されている。この結果から、アウターハウジング１の収容空間１２１にアウターハウジング１と接触しないように植木鉢２が離れて配置されていることにより、第１の電極３０１と第２の電極３０２とは直接電気的に接続されず、仮想回路に構成されていることによって、植物１００がマイナスイオンをより多く放出することができ、植物１００によるマイナスイオン濃度を高めることができる。
【００３１】
本考案に係る植物源マイナスイオン発生促進装置に用いられているリュウゼツランは、他の植物と比べてマイナスイオンを長く放出することができ、水不足や乾燥に強く、管理が非常に簡単であるため、植物１００として最適である。リュウゼツランは、１例として、フクリンリュウゼツランが用いられる。図８では、フクリンリュウゼツランに負高電圧パルスで刺激を与えたときのマイナスイオン放出時間及びマイナスイオン放出濃度を示し、マイナスイオンを長く放出することが分かる。
【００３２】
（実施の形態２）
図９では、本考案に係る植物源マイナスイオン発生促進装置の実施の形態２を示している。実施の形態２に係る植物源マイナスイオン発生促進装置は、その構成が実施の形態１とほぼ同じで、受け部材の構成が異なる。実施の形態２では、受け部材１７Ａには、収容空間１２１内に設けられた第１の開口１７５と、第１の開口１７５の周りに設置空間１６に設けられた第２の開口１７６とを有する。第１の開口１７５と第２の開口１７６とは、それらの口径が収容空間１２１及び設置空間１６に応じて異なる又は同一であるように設けられ、またそれぞれの個数は一つでもよく複数でもよい。この形態では、第１の開口１７５は第２の開口１７６よりも口径が大きく、一つ設けられ、複数の第２の開口１７６が第１の開口１７５の周りに設けられている。また、１例として、一つの第１の開口１７５にはリュウゼツランを植えた植木鉢２を設置し、複数の第２の開口１７６にはリュウゼツランや他種類の植物を植えた植木鉢２を設置することができる。植木鉢２の大きさは、開口１７５又は１７６の大きさに応じて使用される。
【００３３】
以上のように、本考案に係る植物源マイナスイオン発生促進装置は、植木鉢２をアウターハウジング１の外壁１１と接触しないよう離れて収容空間１２１に設置され、第１の電極３０１が植木鉢２と電気的に接触し、第２の電極３０２がアウターハウジング１と接触すると共に第１の電極３０１とは電気的に接続しないように離れて設けられているので、第１の電極３０１と第２の電極３０２とは空気を介して仮想回路を構成することができる。これによって、植物１００はマイナスイオンを多く生成するようになり、マイナスイオン濃度の増加を図ることができる。また、距離検出装置３６及び第３の抵抗器Ｒ３を設けていることにより、植物１００への接触による感電を防止することができる。また、コントローラー３１による制御で温湿度センサー３７、加湿器３８、送風機３９及びマイナスイオン濃度センサー５１を設けていることにより、周囲環境内のマイナスイオン濃度を最適に調節し、そのマイナスイオン濃度を最適な範囲に保つことができる。従って、本考案に係る植物源マイナスイオン発生促進装置は、限られた環境内の空気を浄化し、室内の空気品質の改善が期待できる。
【産業上の利用可能性】
【００３４】
本考案に係る植物源マイナスイオン発生促進装置は、室内環境の空気品質を良好にする空気浄化装置として有用である。
【符号の説明】
【００３５】
１００  植物
１  アウターハウジング
１１  外壁
１２  内壁
１２１  収容空間
１３  下板
１４  第２の接点
１５  取付座
１５０  取付スペース
１６  設置空間
１７、１７Ａ  受け部材
１７０  開口
１７１  立ち上がり部
１７２  係止部
１７２ａ  係止溝
１７２ｂ  切込溝
１７３  底部
１７４  貫通孔
１７５  第１の開口
１７６  第２の開口
２  植木鉢
２０  導線
２１  底部
２２  第１の接点
２３  開放口
２４  つば部
３  負高電圧パルス出力モジュール
３０１  第１の電極
３０２  第２の電極
３１  コントローラー
３２  カプラー
３３  駆動回路
３３１  ハーフブリッジチップ
３３２  ＭＯＳスイッチ
３４  高電圧パルス生成回路
３４０  昇圧整流回路
３４１  自動回復ヒューズ
３５  リモート信号受信回路
３６  距離検出装置
３７  温湿度センサー
３８  加湿器
３９  送風機
４  リモートコントローラー
５１  マイナスイオン濃度センサー
Ｃ１  コンデンサ
Ｄ  ダイオード
Ｎ１  一次コイル
Ｎ２  二次コイル
Ｒ１、Ｒ２、Ｒ３  抵抗器
Ｔ  昇圧トランス
【図１】
0003196365.tif 000003
【図２】
0003196365.tif 000004
【図３】
0003196365.tif 000005
【図４】
0003196365.tif 000006
【図５】
0003196365.tif 000007
【図６】
0003196365.tif 000008
【図７】
0003196365.tif 000009
【図８】
0003196365.tif 000010
【図９】
0003196365.tif 000011